(57)【要約】【課題】極力、燃料等のコストが掛からない、自然エネルギーなどを普く利用した海水淡水化システムなどを実現化させる。【解決手段】上記の課題を克服するには、とりわけ、熱効率のよくない蒸発法（多段フラッシュ）や膜処理上の高圧エネルギー等を要する逆浸透法などに頼ることなく、別段、図１等の様な仕組みで生成される、太陽エネルギーを利用した（準）自然蒸発法等に拠ればよい・・・云々。【選択図】図１
2010099628.tif 000002
【特許請求の範囲】
【請求項１】
先ず、図１等の通り、（ケーソン等の製作で使用される）フローテイング・ドック形式云々の海上等の浮体構造物を建造し、順次、その上部に（太陽光を全方位から捉えられる様に）幾何学的にも配列された複数個の（以下の下方にある箱舟箱板の上面に、各焦点が合うように設計された光学式）特殊集光レンズ類を部分的にも含むガラス（レンズ）ドームの屋根をできる限り、大きく設け、予め、当該構造物の内部の水面（海面）に幅広く浮かべた、熱しやすい軽金属板の（複数の）箱形フロートの上面に、なお上方（天井）のガラス・レンズ類から差し込む太陽光を（全方位より）集中的（時間差的に）に照射させることにより、追々、段々と光熱（高熱）化した同上面（金属板）に自ずと流れ込む（若干、かかる程度の）海水をいみじくも沸騰させては、多量の水蒸気を（日中）継続的に発生させ、適時、隣接又は布設の洋上風力発電や（以下の水槽タンク上の屋根云々にソーラーパネル類を設置した）太陽光発電等の設備と連係した自動送風機等の付随装置類（当該構造物の周囲枠上の呼気ファン（C’）＆ドーム天頂部等の吸引ファン（C”）などを稼働させることにより、別段、海水（冷却水）を利用して自然冷却し得る連結構造上の水槽タンク（F）の方へ、先んじたト字管風の管内を通りながら、自ずと生成上の蒸留水（準浄化水）を送り込むという（専ら、太陽追尾装置類を要しない）全天周に対応した集光式太陽熱エネルギーを利用した自然蒸発による海水淡水化システム。
＊詳細は、追って提示する。
【請求項２】
前項の所定の各レンズ類（及び各反射鏡等）を特段、太陽（直射日光）の差す方角へ向けて、個別ごとに動かすことのできるヘリオスタット式等の太陽追尾装置類を本システム用に組み入れた海水淡水化システム。
＊詳細は、追って提示する。
【請求項３】
請求項１の（集光レンズ等不用の）ガラスドーム内に備え付けた集熱式軽金属板（箱舟）の代わりに、別段、（船舶用の様に、海面に向かって垂直方向でなく）海水面にそって、水平方向（当該プロペラの翼が、ほんの水面に浸かる程度）に浮かせた特殊スクリュー類を連係的に稼動させ、さしたる温室（熱室）化したドーム内で、勢い良く、海水を泡立たせながら、尚のこと、水蒸気の発生（転じて、蒸留水の生成）を促進させるようにした海水淡水化システム。
＊     
詳細は、追って提示する。
【請求項４】
請求項１等の集光（集熱）式蒸発促進装置類と請求項３の特殊スクリュー方式による水蒸気（泡立ち）発生装置類を組み合わせた複合多重構造からなる本海水淡水化システム。
【請求項５】
請求項１等の本装置類に、特段、飲料水用の加熱殺菌処理等の補助施設や海底送水管等と連結させた連係構造からなる海水淡水化システム及び浄化水輸送システム。
【発明の詳細な説明】
【技術分野】
【０００１】
本発明は、概して、海水淡水化装置類及びそれ等の関連機器類の製造技術云々に関するものである。
【背景技術】
【０００２】
上記の浄水システム関連の技術分野に準じる。
【発明の開示】
【発明が解決しようとする課題】
【０００３】
極力、コストの掛からない、自然エネルギーなどを普く利用した海水淡水化システムを実現化させる。
【０００４】
既存の海水淡水化システムの主流は、概して、蒸発法と膜法に大別されるが、特段、多大な熱エネルギーと電力を要する前者に比べ、さしたる燃料を要しない後者の方が、コスト的に優れ、より普及化しつつあるが、如何せん、その（どの）方式に至っても、なお面倒な前処理などの整備コスト等がどうしても掛かってしまうのが課題（難題）である・・・。
【課題を解決するための手段】
【０００５】
上記の課題を克服するには、とりわけ、熱効率のよくない蒸発法（多段フラッシュ）や膜処理上の高圧エネルギー等を要する逆浸透法などに頼ることなく、別段、図１等の様な仕組みで生成される、太陽エネルギーを利用した（準）自然蒸発法等に拠ればよい・・・云々。
【０００６】
以下、手続補正にて、追補する。
【発明の効果】
【０００７】
本発明装置類にあっては、何よりも先ず、既存システムの様に、多大な燃料や冷却装置類などが不要なことなどから、前々より、頻繁に水不足に陥る熱帯地方等の発展途上国などに、主なる農業（或いは工業）用水等をなお安価で提供できるようになる・・・云々。
【発明を実施するための最良の形態】
【０００８】
追って、手続補正にて表記する。
【実施例】
【０００９】
追って、手続補正にて表記する。
【図面の簡単な説明】
【００１０】
【図１】本海水淡水化装置類の概観を簡略的に示す正面（断面）図＆平面（概略）図。＊追って、各部分図（詳細図）などを提示する。
【符号の説明】
【００１１】
A：特殊設計された集光レンズ類。
B：ソーラーパネル類。
C’：呼気ファン類。
C”：吸引ファン類。
D：フローテイング・ドック形式の（大型）浮体構造物。
E：  蒸気発生促進用の吸収熱材（箱型軽金属板）。
F：（巨大）水槽タンク。          
Ｇ：蒸気（泡立ち）発生促進用特殊スクリュー。
【図１】
2010099628.tif 000003
【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
先ず、図１等の通り、（ケーソン等の製作で使用される）フローテイング・ドック形式云々の海上等の浮体構造物を建造し、順次、その上部に（太陽光を全方位から捉えられる様に）幾何学的にも配列された複数個の（以下の下方にある箱舟箱板の上面（の突起物等）に、各焦点が合うように設計された光学式）特殊集光レンズ類を部分的にも含むガラス（レンズ）ドームの屋根をできる限り、大きく設け、予め、当該構造物の内部の水面（海面）に幅広く浮かべた、熱しやすい軽金属板の（複数の）箱形フロートの上面に、なお上方（天井）のガラス・レンズ類から差し込む太陽光を（全方位より）集中的（時間差的に）に照射させることにより、追々、段々と光熱（高熱）化した同上面（金属板）に自ずと流れ込む（若干、かかる程度の）海水をいみじくも沸騰させては、多量の水蒸気を（日中）継続的に発生させ、適時、隣接又は布設の洋上風力発電や（以下の水槽タンク上の屋根云々にソーラーパネル類を設置した）太陽光発電等の設備と連係した自動送風機等の付随装置類（当該構造物の周囲枠上の呼気ファン（C’）＆ドーム天頂部等の吸引ファン（C”）などを稼働させることにより、（専ら、二酸化炭素より、温暖化の高い水蒸気温室効果にて、尚温室・熱室化させる）同ドーム内が飽和水蒸気圧に達する前に、別段、海水（冷却水）を利用して自然冷却し得る連結構造上の水槽タンク（F）の方へ、先んじたト字管風の管内を通りながら、自ずと生成上の蒸留水（準浄化水）を送り込むという（専ら、太陽追尾装置類を要しない）全天周に対応した集光式太陽熱エネルギーを利用した自然蒸発による海水淡水化システム。
＊詳細は、追って提示する。
【請求項２】
前項の所定の各レンズ類（及び各反射鏡等）を特段、太陽（直射日光）の差す方角へ向けて、個別ごとに動かすことのできるヘリオスタット式等の太陽追尾装置類を本システム用に組み入れた海水淡水化システム。
＊詳細は、追って提示する。
【請求項３】
請求項１の（集光レンズ等不用の）ガラスドーム内に備え付けた集熱式軽金属板（箱舟）の代わりに、別段、（船舶用の様に、海面に向かって垂直方向でなく）海水面にそって、水平方向（当該プロペラの翼が、ほんの水面に浸かる程度）に浮かせた特殊スクリュー類を連係的に稼動させ、さしたる温室（熱室）化したドーム内で、勢い良く、海水を泡立たせながら、尚のこと、水蒸気の発生（転じて、蒸留水の生成）を促進させるようにした海水淡水化システム。＊詳細は、追って提示する。
【請求項４】
請求項１等の集光（集熱）式蒸発促進装置類と請求項３の特殊スクリュー方式による水蒸気（泡立ち）発生装置類を組み合わせた複合多重構造からなる本海水淡水化システム。＊詳細は、追って提示する。
【請求項５】
請求項１等の本装置類に、特段、飲料水用の加熱殺菌処理等の補助施設や海底水管等と連結させた連係構造からなる海水淡水化システム及び浄化水輸送システム。＊詳細は、追って提示する。
【請求項６】
請求項１等の当該施設内の中央部等に、別途、（内燃機関より、熱効率の良い）スターリング・エンジン式（ベータ・タイプ等）の外熱機関（H）などを図２の通り、配置し、順次、（太陽の日周・年周運動上の全方向・方位に局部的にも相対面し得る）ガラス（レンズ）ドーム類を通した太陽の集光場所（集熱部位）を高温側に、片や、海水（冷水）に浸る部分（尚低温を要する場合には、直近の深海水をポンプ等でくみ上げ、適度に浸らせる所定の部分）を低温側にして、（極力、低温度差でも作動し得る）同上エンジンを別段、海面に沿って、水平方向に（並列的にも）置き換えた（無数のキャビテーションを発生させる）特殊スクリュー用等に自ずと稼動させ、追々、水平面際の海水を泡立たせては、水蒸気の発生を増加・促進し得る（太陽追尾装置類不要の）本海水淡水（増水）化システム。＊詳細は、追って提示する。
【請求項７】
請求項６の所定の各レンズ類（及び各反射鏡等）を特段、太陽（直射日光）の差す方角へ向けて、個別ごとに動かすことのできるヘリオスタット式等の太陽追尾装置類を本システム用に組み入れた海水淡水化システム。＊詳細は、追って提示する。
【請求項８】
請求項６等の当該スターリングエンジンの熱効率の性能を上げる為、別途、図３上の所定の位置に、（浮体式）パラボラ型反射鏡などを付帯させ、特段、同上エンジンの高温側をより集光（集熱）化させた（太陽追尾装置類不要の）本海水淡水化システム。＊詳細は、追って提示する。
【請求項９】
請求項１等の（大型）浮体構造物を既定の係留施設（接岸施設や沖きがかり施設）に係留（固定）させるだけでなく、別段、同浮体構造物の底面云々に、船舶用スクリュー等の推進装置などを付けたり、同上構造物の上面及び側面云々に、帆・セイル等を添えたり施した移動式の本海水淡水化装置類一式。＊詳細は、追って提示する。
【請求項１０】
請求項６等の特殊装置類で、所定のスクリュープロペラのみならず、発電用タービン等をも稼動させる両用タイプ、又は、概ね、図4等の様に  （高度な技術を要しない、即ち、高価なコストが掛からない）  太陽追尾装置類不要の発電専用の本特殊装置類一式。
【請求項１１】
請求項３等のスクリュー方式でなく、別途、パドル形式にして、随時、海水のしぶきの発生を助長させながら、尚のこと、水蒸気の増発を促進させた本海水淡水化装置類、又は、さしたるスクリュー式とパドル式等の併用云々による同上装置類一式。
【手続補正２】
【補正対象書類名】明細書
【補正対象項目名】全文
【補正方法】変更
【補正の内容】
【発明の詳細な説明】
【技術分野】
【０００１】
本発明は、概して、海水淡水化装置類及びそれ等の関連機器類（発電装置類等含む）の製造技術云々に関するものである。
【背景技術】
【０００２】
上記の浄水機器及び発電システム関連の技術分野に準じる。
【発明の開示】
【発明が解決しようとする課題】
【０００３】
極力、燃料等のコストを要さない、自然エネルギーなどを普く利用した海水淡水化システムなどを実現化させる。
【０００４】
既存の海水淡水化システムの主流は、概して、蒸発法と膜法に大別されるが、特段、多大な熱エネルギーと電力を要する前者に比べ、さしたる燃料を要しない後者の方が、コスト的に優れ、より普及化しつつあるが、如何せん、その（どの）方式に至っても、なお面倒な前処理などの整備コスト等がどうしても掛かってしまうのが課題（難題）である・・・。
【課題を解決するための手段】
【０００５】
上記の課題を克服するには、とりわけ、熱効率のよくない蒸発法（多段フラッシュ）や膜処理上の高圧エネルギー等を要する逆浸透法などに頼ることなく、別段、図１等の様な仕組みで生成される、太陽エネルギーを利用した（準）自然蒸発法等に拠ればよい・・・云々。
【０００６】
以下、手続補正にて、追補する。
【発明の効果】
【０００７】
本発明装置類にあっては、何よりも先ず、既存システムの様に、多大な燃料や冷却装置類などが不要なことなどから、前々より、頻繁に水不足に陥る熱帯地方等の発展途上国などに、主なる農業（或いは工業）用水等をなお安価で提供できるようになる・・・云々。
【発明を実施するための最良の形態】
【０００８】
追って、手続補正にて表記する。
【実施例】
【０００９】
追って、手続補正にて表記する。
【図面の簡単な説明】
【００１０】
【図１】本海水淡水化装置類の概観を簡略的に示す正面（断面）図＆平面（概略）図。
【００１１】
【図２】請求項６に係る本海水淡水化装置類の概略（断面）図。
【００１２】
【図３】請求項８に係る本海水淡水化装置類の概略（断面）図。
【００１３】
【図４】請求項１０に係る（ソーラー・スターリング・エンジン・ベータタイプ等による）本発電装置類の概略（断面）図。
【００１４】
【図５】請求項１０に係る（ソーラー・スターリング・エンジン・アルファタイプ等による）本発電装置類の概略（断面）図。＊追って、各部分図（詳細図）などを提示する。
【符号の説明】
【００１５】
A：特殊設計された集光レンズ類。
B：ソーラーパネル類。
C’：呼気ファン類。
C”：吸引ファン類。
D：フローテイング・ドック形式の（大型）浮体構造物。
E：  蒸気発生促進用の吸収熱材（箱型軽金属板）。
F：（巨大）水槽タンク類。          
Ｇ：蒸気（泡立ち）発生促進用特殊スクリュー類。
H：（太陽集光式）ソーラー・スターリング・エンジン（ベータ・タイプ等）の外熱機関。
I：（浮体式）パラボラ型反射鏡。
J：（大型）パラボラ型反射鏡。
K：断熱材類。
【手続補正３】
【補正対象書類名】図面
【補正対象項目名】図１
【補正方法】変更
【補正の内容】
【図１】
2010099628.tif 000004
【手続補正４】
【補正対象書類名】図面
【補正対象項目名】図２
【補正方法】変更
【補正の内容】
【図２】
2010099628.tif 000005
【手続補正５】
【補正対象書類名】図面
【補正対象項目名】図３
【補正方法】変更
【補正の内容】
【図３】
2010099628.tif 000006
【手続補正６】
【補正対象書類名】図面
【補正対象項目名】図４
【補正方法】変更
【補正の内容】
【図４】
2010099628.tif 000007
【手続補正７】
【補正対象書類名】図面
【補正対象項目名】図５
【補正方法】変更
【補正の内容】
【図５】
2010099628.tif 000008